(57)【特許請求の範囲】
【請求項１】
平坦部と、湾曲部と、を備える導光板であって、前記湾曲部は、光を導入する端面及び内周面を備え、前記端面から導入した光を前記平坦部に導き、前記内周面から導入した光を透過し、前記平坦部は、前記湾曲部によって導かれた光を散乱する光散乱部と、該光散乱部により散乱された光を射出する射出面とを備える、導光板と、
前記端面に向けて光を照射する第１発光部と、
前記内周面に向けて光を照射する第２発光部と、
前記射出面から射出された光の輝度及び前記湾曲部を透過した光の輝度を制御する輝度制御シートであって、異なる複数の光透過率を有する輝度制御シートと、
を具備する面光源装置。
【請求項２】
平坦部と、湾曲部と、を備える導光板であって、前記湾曲部は、光を導入する端面及び内周面を備え、前記端面から導入した光を前記平坦部に導き、前記内周面から導入した光を透過し、前記平坦部は、前記湾曲部によって導かれた光を散乱する光散乱部と、該光散乱部により散乱された光を射出する射出面とを備える、導光板と、
前記端面に向けて光を照射する第１発光部と、
前記内周面に向けて光を照射する第２発光部と、
被照射物を直接照明する第３発光部と、
を具備する面光源装置。
【請求項３】
前記射出面から射出された光の輝度、前記湾曲部を透過した光の輝度、及び前記第３発光部から照射された光の輝度を制御する輝度制御シートであって、異なる複数の光透過率を有する輝度制御シートをさらに具備する請求項２に記載の面光源装置。
【請求項４】
平坦部と、湾曲部と、を備える導光板であって、前記湾曲部は、光を導入する端面及び内周面を備え、前記端面から導入した光を前記平坦部に導き、前記内周面から導入した光を透過し、前記平坦部は、前記湾曲部によって導かれた光を散乱する光散乱部と、該光散乱部により散乱された光を射出する射出面とを備える、導光板と、
前記端面に向けて光を照射する第１発光部と、
前記内周面に向けて光を照射する第２発光部と、
を具備し、
前記第１発光部は、第１の間隔で配列される複数の発光素子を備え、前記第２発光部は、前記第１の間隔より大きい第２の間隔で配列される複数の発光素子を備える、面光源装置。
【請求項５】
前記第１発光部は、複数の発光素子が前記端面に沿ってライン状に配列されている発光素子アレイである、請求項１乃至４のいずれか１項に記載の面光源装置。
【請求項６】
前記第２発光部は、前記第１発光部から照射されて前記導光板に入射せずに漏れ出た光を前記内周面に導く部材である、請求項１乃至３のいずれか１項に記載の面光源装置。
【発明の詳細な説明】
【技術分野】
【０００１】
本発明の実施形態は、例えば液晶表示装置のバックライトとして使用される面光源装置に関する。
【背景技術】
【０００２】
液晶表示装置に用いられるバックライトとして、光源からの光を矩形平板状の導光板の端面から導入して導光板の射出面から射出するエッジライト型のバックライトが知られている。エッジライト型のバックライトは、液晶パネルの背面に対向して光源を配置し液晶パネルを直接照明する直下型のバックライトと比較して、筐体を薄型化できるという利点を有している。
【先行技術文献】
【特許文献】
【０００３】
【特許文献１】特開２０１１−１３８６９８号公報
【発明の概要】
【発明が解決しようとする課題】
【０００４】
しかしながら、エッジライト型のバックライトにおいては、光源が導光板の側端面に対向して配置され、即ち、光源が筐体の額縁部分に収容されるので、筐体の額縁部分が大きくなるという欠点がある。
【０００５】
本発明が解決しようとする課題は、筐体の額縁部分が小さい面光源装置を提供することにある。
【課題を解決するための手段】
【０００６】
一実施形態に係る面光源装置は、導光板、第１発光部、及び第２発光部を備える。前記導光板は、矩形の断面形状を有する平坦部と、湾曲した部分を有する形の断面形状を有する湾曲部と、を備える。前記湾曲部は、光を導入する端面及び内周面を備え、前記端面から導入した光を前記平坦部に導き、前記内周面から導入した光を透過する。前記平坦部は、前記湾曲部によって導かれた光を散乱する光散乱部と、該光散乱部により散乱された光を射出する射出面とを備える。前記第１発光部は、前記端面に向けて光を照射する。前記第２発光部は、前記内周面に向けて光を照射する。
【図面の簡単な説明】
【０００７】
【図１】第１の実施形態に係る面光源装置を概略的に示す側面図。
【図２】図１の面光源装置が輝度制御シートを備える例を示す側面図。
【図３】図２に示した輝度制御シートを概略的に示す上面図。
【図４】第１の実施形態の変形例１に係る面光源装置を概略的に示す側面図。
【図５】第１の実施形態の変形例２に係る面光源装置を概略的に示す側面図。
【図６】図１の面光源装置を２つ組み合わせて形成される面光源装置を概略的に示す側面図。
【図７】図６の面光源装置を２つ組み合わせて形成される面光源装置を概略的に示す側面図。
【図８】第２の実施形態に係る面光源装置を概略的に示す斜視図。
【図９】図８に示した第３発光部が発する光の光路を概略的に示す側面図。
【図１０】図８に示した第１発光部が発する光の光路を概略的に示す側面図。
【図１１】図８に示した第２発光部が発する光の光路を概略的に示す側面図。
【図１２】図８の面光源装置が輝度制御シートを備える例を示す側面図。
【図１３】図８に示した導光板に光伝搬制御部が設けられている例を示す斜視図。
【図１４Ａ】図１３に示した光伝搬制御部の一例を示す断面図。
【図１４Ｂ】図１３に示した光伝搬制御部の他の例を示す断面図。
【図１４Ｃ】図１３に示した光伝搬制御部のさらに他の例を示す断面図。
【発明を実施するための形態】
【０００８】
以下、必要に応じて図面を参照しながら、実施形態に係る面光源装置を説明する。これらの面光源装置は、例えば、液晶表示装置のバックライトや照明器具として使用される。本実施形態では、面光源装置が液晶表示装置のバックライトとして使用される場合を例に挙げて説明する。この場合、面光源装置は、面光源装置の発光面が液晶パネルの背面に対向するように配置される。
【０００９】
（第１の実施形態）  
図１は、第１の実施形態に係る面光源装置１００を概略的に示す側面図である。この面光源装置１００は、図１に示されるように、第１発光部１１０、第２発光部１２０、及び導光板１３０を備える。これらの第１発光部１１０、第２発光部１２０、及び導光板１３０は、図示しない筐体（背面カバー）に固定されている。
【００１０】
第１発光部１１０は、導光板１３０の一端面１３５に対向して配置され、この端面１３５に向けて光を照射する。第１発光部１１０は、光（例えば白色光）を発する複数の発光素子が端面１３５に沿ってライン状に配列されている発光素子アレイである。発光素子としては、例えば、発光ダイオード（ＬＥＤ：Ｌｉｇｈｔ  Ｅｍｉｔｔｉｎｇ  Ｄｉｏｄｅ）を使用することができる。
【００１１】
導光板１３０は、透明なガラス又は樹脂で形成される。透明樹脂としては、例えば、アクリル、ポリカーボネートなどを利用することができる。導光板１３０は、矩形平板の端部を湾曲した形状に形成されている。具体的には、導光板１３０は、平坦部１３１及び湾曲部１３２を備える。
【００１２】
ここで、説明のために、図１に示すようにＸＹＺ直交座標系を規定する。導光板１３０の平坦部１３１の厚さ方向をＺ方向とし、第１発光部１１０の発光素子が配列されている方向をＹ方向とし、Ｙ方向及びＺ方向に直交する方向をＸ方向とする。面光源装置を液晶表示装置のバックライトとして用いる場合、Ｘ方向が鉛直方向（又は上下方向）に相当し、Ｙ方向が水平方向（又は左右方向）に相当する。
【００１３】
平坦部１３１をＹ方向に直交する仮想平面で切断した断面の形状は、いずれの断面でも矩形状である。また、湾曲部１３２をＹ方向に直交する仮想平面で切断した断面の形状は、いずれの断面でも、湾曲した部分を有する形状である。より具体的には、湾曲部１３２の断面形状は、中心角が約９０度である円弧に近似した形状であり、平坦部１３１の厚さと略同じ厚さを有している。さらに、導光板１３０は、互いに対向する２つの主面１３３及び１３４、並びに、これら主面１３３及び１３４間に配置される４つの端面を有する。これらの端面のうちの湾曲部１３２側に位置する端面１３５は、第１発光部１１０から照射された光を導入する入射面である。本実施形態では、面光源装置１００を液晶パネル（図示しない）に対向配置した場合に液晶パネルに対向する主面１３３を表面と呼び、他方の主面１３４を背面と呼ぶ。
【００１４】
第２発光部１２０は、導光板１３０の湾曲部１３２側の背面１３４に対向して配置され、湾曲部１３２の背面（内周面ともいう）１３４に向けて光を照射する。本実施形態の第２発光部１２０は、第１発光部１１０と同様に、複数の発光素子（例えばＬＥＤ）がＹ方向に沿ってライン状に配列されている発光素子アレイである。なお、第２発光部１２０は、ＬＥＤとレンズを組み合わせて用いるＬＥＤモジュールであってもよい。
【００１５】
第１発光部１１０から照射された光は、湾曲部１３２の端面１３５から導光板１３０に入射し、導光板１３０内部において全反射を繰り返しながら伝搬する。導光板１３０中を伝搬する光は、平坦部１３１に設けられている光散乱パターン（光散乱部ともいう）１３６によって散乱され、平坦部１３１の表面（射出面）１３３から導光板１３０外部へ射出される。このようにして、第１発光部１１０からの光は、導光板１３０の平坦部１３１に対応する領域に向けられる。
【００１６】
本実施形態では、光散乱パターン１３６は、平坦部１３１の背面１３４に形成されている。光散乱パターン１３６を形成する方法としては、例えば、白色のシルクスクリーン印刷を施す方法、導光板１３０の成型時に微小な凹凸形状を形成する方法、導光板１３０の成型後にレーザ加工により微小な凹凸形状を形成する方法などがある。なお、光散乱パターン１３６は、平坦部１３１の背面１３４に設けられる例に限らず、導光板１３０内部に付加された光散乱性を有する微粒子であってもよい。
【００１７】
一方、発光部１２０から照射された光は、湾曲部１３２の背面１３４から導光板１３０に入射し、導光板１３０内部に留まることなく湾曲部１３２の表面１３５から射出される。即ち、発光部１２０からの光は、湾曲部１３２を透過する。このようにして、第２発光部１２０からの光は、導光板１３０の湾曲部１３２に対応する領域に向けられる。
【００１８】
面光源装置１００の照射光は、平坦部１３１から射出された光と湾曲部１３２を透過した光とから形成される。第２発光部１２０から照射され湾曲部１３２を透過した光を面光源装置１００の照射光として用いることにより、平坦部１１０に対応する領域とともに湾曲部１３２に対応する領域も発光面とすることができる。さらに、第１発光部１１０及び第２発光部１２０が導光板１３０の背面１３４側に配置されるので、第１発光部１１０及び第２発光部１２０を収容するための額縁部分を筐体に設ける必要がない。
【００１９】
本実施形態では湾曲部１３２は平坦部１３１より小さいので、第１発光部１１０が照明する領域は、第２発光部１２０が照明する領域より広い。このため、面光源装置１００の照射光の輝度の空間的均一性を得るには、第２発光部１２０の全体の発光量を第１発光部１１０の全体の発光量より小さくする必要がある。これは、各発光素子の発光量及び発光素子の配列間隔の少なくとも一方を調整することで実現することができる。一例では、第２発光部１２０内の発光素子は、第１発光部１１０内の発光素子より疎らに配列される。即ち、第２発光部１２０における発光素子の配列間隔は、第１発光部１１０における発光素子の配列間隔より大きく設計される。他の例では、第２発光部１２０内の各発光素子の発光量は、第１発光部１１０内の各発光素子の発光量より小さくなるように制御される。
【００２０】
ただし、発光素子の個々の発光量及び配列間隔の少なくとも一方を調整することで輝度の空間的均一性を図る場合、使用できるＬＥＤの種類が限られ、或いは、発光素子の配置位置及び発光量をきわめて高い精度で調整することが必要となることがある。そこで、面光源装置１００は、図２に示すように、前記射出面から射出された光の輝度及び前記湾曲部を透過した光の輝度を制御する輝度制御シート２５０をさらに備えてもよい。この輝度制御シート２５０には、光を拡散する光拡散ドット２５１が形成されている光拡散領域２５２が設けられている。典型的には、光拡散領域２５２は、第２発光部１２０から照射され湾曲部１３２を透過した光が通過する部分に設けられる。
【００２１】
光拡散ドット２５１を形成する方法としては、例えば、シルクスクリーン印刷を用いる方法、高出力レーザによって凹凸ドットを形成する方法、銀箔のドットを貼付する方法などがある。或いは、これらの方法を組み合わせて光拡散ドット２５１を形成してもよい。
【００２２】
光拡散領域２５２では、図３に示すように、ドットの大きさ又はドット間ピッチを変化させることで、即ち、光拡散ドット２５１の密度を変化させることで、空間的な光透過率を変化させている。図３では、光拡散領域２５２内の部分領域毎に光透過率が異なるように示されているが、光拡散ドット２５１は輝度制御シート２５０の面内で光透過率が滑らかに変化するように形成される。このような面内で異なる複数の光透過率を持つ輝度制御シート２５０を設けることにより、面光源装置１００の照射光の輝度の空間的均一性を得ることが容易になる。
【００２３】
以上のように、第１の実施形態に係る面光源装置１００によれば、光源（第１発光部１１０及び第２発光部１２０）を導光板１３０の背面１３４側に配置することにより、光源を収容するための額縁部分を小さく若しくは狭くすることができ、或いは、筐体の額縁部分を完全になくすことができる。従って、面光源装置１００をバックライトとして用いる液晶表示装置においても、筐体の額縁（ベゼル）部分を狭くすることができる。画面サイズに対して額縁が狭くなることで、相対的に画面サイズが大きく感じるなど、液晶表示装置のデザイン性をより優れたものにすることができる。
【００２４】
なお、第２発光部は、発光素子（即ち、光源）を備えている例に限定されない。第２発光部の他の態様を図４及び図５を参照して説明する。  
図４は、第１の実施形態の変形例１に係る面光源装置４００を概略的に示す側面図である。図４において、図２に示した符号と同様の符号を同一要素に付してその説明を省略する。面光源装置４００は、図１の第２発光部１２０に代えて、第１発光部１１０から照射された光のうち導光板１３０に入射することなく漏れ出た光を反射して湾曲部１３２の背面（内周面）１３４へ導く部材４２０を備える。一例では、部材４２０は、第１発光部１１０から漏れ出た光に対して斜めの面を有し、この面に反射率の高い白色若しくは銀色の塗料を塗布したものである。他の例では、反射率の高いミラーが部材４２０として使用される。第１の実施形態の変形例１に係る面光源装置４００によれば、第１発光部１１０から漏れ出た光を利用することにより、消費電力を削減することができる。
【００２５】
図５は、第１の実施形態の変形例２に係る面光源装置５００を概略的に示す側面図である。図５において、図２に示した符号と同様の符号を同一要素に付してその説明を省略する。図１の面光源装置１００では、導光板１３０の平坦部１３１に光散乱パターン１３６が設けられている。これに対し、図５の面光源装置５００では、導光板１３０の背面１３４の全体にわたって光散乱パターン１３６が形成されている。面光源装置５００の第２発光部５２０は、湾曲部１３２に設けられている光散乱パターン１３６に対応する。第２発光部５２０は、導光板１３０中を伝搬する光を散乱して湾曲部１３２の表面（外周面）１３３から射出する。
【００２６】
第２発光部としての光散乱パターンを形成する方法としては、例えば、導光板１３０に白色のシルクスクリーン印刷を施す方法、導光板１３０の成型時に微小な凹凸形状を形成する方法、導光板１３０の成型後にレーザ加工により微小な凹凸形状を形成する方法などがある。
【００２７】
第１の実施形態の変形例２に係る面光源装置５００によれば、湾曲部１３２の背面１３４に光散乱パターンを第２発光部として設けることにより、第２発光部に使用される部材を削減することができ、即ち、省資源化することができる。
【００２８】
さらに、上述した構成を有する面光源装置（例えば面光源装置１００）を１つのユニットとして、複数のユニットを組み合わせて用いて１つの面光源装置を構成することもできる。図６は、第１の実施形態の変形例３に係る面光源装置６００を概略的に示す側面図である。この面光源装置６００は、図２に示される面光源装置１００を左右対称に２つ組み合わせたものである。図６において、図２に示した符号と同様の符号を同一要素に付してその説明を省略する。ただし、図６において左右対称に設けられている要素同士を区別するために添え字（Ａ及びＢ）を追加している。
【００２９】
さらに、図６に示される面光源装置６００を左右対称に２つ組み合わせた面光源装置７００を図７に示す。図７において左右対称に設けられている要素同士を区別するために添え字（Ａ、Ｂ、Ｃ及びＤ）を追加している。面光源装置７００では、導光板１３０Ｂと導光板１３０Ｃは一体的に形成され、導光板１３０Ｂの平坦部１３１Ｂは導光板１３０Ｃの平坦部１３１Ｃと連続している。
【００３０】
このように複数のユニットを組み合わせて用いて１つの面光源装置を形成することにより、大型画面の液晶表示装置に対応することが可能となる。
【００３１】
（第２の実施形態）  
図８は、第２の実施形態に係る面光源装置８００を概略的に示す斜視図である。図８に示される面光源装置８００は、図１に示される面光源装置１００を左右対称に２つ組み合わせ、さらに、被対象物に向けて光を直接に照射する第３発光部（直下型光源ともいう）８２０を設けたものである。図８において、図１に示した符号と同様の符号を同一要素に付してその説明を省略する。ただし、図８において左右対称に設けられている要素同士を区別するために添え字（Ａ及びＢ）を追加している。
【００３２】
図８に示されるように、第３発光部８２０は、第１発光部１１０Ａ、１１０Ｂ及び第２発光部１２０Ａ、１２０Ｂとともに背面カバー８４０上に実装されている。第３発光部８２０は、第１発光部１１０Ａと第１発光部１１０Ｂとの間に配置される。第３発光部８２０は、１以上の発光素子アレイを備え、各発光素子アレイは、Ｙ方向にライン状に配列されている複数の発光素子（例えばＬＥＤ）を含む。図８では、第３発光部８２０が３つの発光素子アレイを備える例が示されている。第３発光部８２０から照射された光は、図９に示すように、導光板１３０に入射することなく、面光源装置８００の照射光となる。面光源装置８００が液晶表示装置のバックライトとして使用される場合、第３発光部８２０は、液晶パネル、或いは、拡散シート及びプリズムシートなどの液晶パネルを形成する光学シートを直接照明する光源である。
【００３３】
一方、第１発光部１１０Ａから照射された光は、図１０に示すように、湾曲部１３２Ａ側に位置する導光板１３０Ａの端面１３５Ａから導光板１３０Ａに入射し、全反射を繰り返しながら伝播する。導光板１３０Ａ中を伝搬する光は、光散乱パターン１３６Ａによって散乱され、平坦部１３１Ａの表面１３３ＡからＺ方向に射出される。同様にして、第１発光部１１０Ｂから照射された光は、湾曲部１３２Ｂ側に位置する導光板１３０Ｂの端面１３５Ｂから導光板１３０Ｂに入射し、全反射を繰り返しながら伝播する。導光板１３０Ｂ中を伝搬する光は、光散乱パターン１３６Ｂによって散乱され、平坦部１３１Ｂの表面１３３ＢからＺ方向に射出される。平坦部１３１Ａ及び平坦部１３１Ｂから射出された光は、面光源装置８００の照明光の一部を形成し、液晶パネル、或いは、拡散シート及びプリズムシートなどの液晶パネルを形成する光学シートに向けられる。
【００３４】
さらに、第２発光部１２０Ａから照射された光は、図１１に示すように、導光板１３０Ａの湾曲部１３２Ａを透過する。同様にして、第２発光部１２０Ｂから照射された光は、導光板１３０Ｂの湾曲部１３２Ｂを透過する。例えば、第２発光部１２０Ａ、１２０Ｂが設けられていない場合、湾曲部１３２Ａ、１３２Ｂ付近から射出される光はなく、湾曲部１３２Ａ、１３２Ｂに対応する領域の照射光は非常に小さいものとなる。この場合、不連続な輝度分布が生じ、例えば、暗い方向にピークがある輝度ムラが生じる。このような輝度ムラは、液晶表示装置の画質の低下につながる。本実施形態の面光源装置８００では、湾曲部１３２Ａ、１３２Ｂに向けて光を照射する第２発光部１２０Ａ、１２０Ｂを備えることにより、湾曲部１３２Ａ、１３２Ｂ付近からも光が射出され、均一な輝度分布を得ることができる。
【００３５】
さらに、面光源装置８００は、図１２に示すように、前記射出面から射出された光の輝度、前記湾曲部を透過した光の輝度、及び前記第３発光部から照射された光の輝度を制御する輝度制御シート（輝度制御部）１２５０をさらに備えてもよい。輝度制御シート１２５０には、光拡散ドット１２５１が形成されており、輝度制御シート１２５０は、面内で異なる光透過率を持つ。輝度制御シート１２５０は、図２に示した輝度制御シート２５０と同様の構成を有するので詳細な説明を省略する。面光源装置８００は、面内で異なる光透過率を持つ輝度制御シート１２５０を備えることにより、均一性がより高い輝度分布を得ることができる。
【００３６】
第３発光部８２０内の発光素子は、個別に調光されることができる。液晶表示装置に表示する映像信号に従って、第３発光部８２０内の発光素子を独立して制御することにより、複数エリア毎の調光制御（ローカルディミング制御）が可能となる。ローカルディミング制御とは、液晶パネルに入力される映像信号に応じて、バックライトを仮想的に分割した複数のエリア毎にバックライトの明るさを制御する技術を指す。ローカルディミング制御は、液晶表示装置の高コントラスト化及び低消費電力化を実現することができる。
【００３７】
実際の映像コンテンツにおいては中心部分が明るいことが多い。そのため、ローカルディミング制御は画面中央部分の光量を独立して調整できる場合により高い効果を得られることが知られている。本実施形態の面光源装置８００では、発光素子を独立して制御することができる第３発光部が中央部分に配置されているので、ローカルディミングの高い効果を得ることができる。
【００３８】
さらに、面光源装置８００は、ローカルディミングのより高い効果を得るために、再帰性反射の特性を持つ光伝搬制御部１３６０をさらに備えてもよい。光伝搬制御部１３６０は、図１３に示すように、導光板１３０Ａの表面１３３Ａ及び導光板１３０Ｂの表面１３３Ｂに設けられる。光伝搬制御部１３６０は、光が導光板１３０Ａ及び導光板１３０Ｂ中でＹ方向に広がることを抑制することができる。
【００３９】
具体的には、光伝搬制御部１３６０は、複数のリニアプリズムが並列に配置されているリニアプリズム構造によって実現することができる。図１４Ａは、図１３に示すＡ−Ａ´線での導光板１３０Ｂの断面を示す。各リニアプリズムは、Ｘ方向に延びるように形成されている。図１４Ａでは、各リニアプリズムの断面形状が三角形である例が示されている。導光板１３０Ａに設けられる光伝搬制御部１３６０も同様の断面形状を有する。
【００４０】
導光板１３０Ｂ中を伝搬する光の断面方向成分は、リニアプリズム構造の再帰性反射を受けることになる。導光板１３０Ｂ中を伝搬する光は、再帰性反射を受けながら伝搬するため、各リニアプリズムに沿う方向（即ち、Ｘ方向）には広く拡散するが、第１発光部１１０Ｂ内の発光素子が配列する方向（即ち、Ｙ方向）には拡散されにくい。
【００４１】
図１４Ａの例では、光伝搬制御部１３６０は、断面形状が大きさの同じ三角形であるリニアプリズムを配列した構造である。リニアプリズムの断面形状は、三角形に限らず、台形、半円形などであってもよい。光伝搬制御部１３６０は、図１４Ｂに示すように、断面形状が略半円形であるレンチキュラーレンズ構造であってもよい。さらに、製造性を考慮して、各リニアプリズムの断面形状は、図１４Ｃに示すように、頂点が丸みを帯びた三角形状であってもよい。
【００４２】
このように光伝搬制御部１３６０によって導光板１３０Ａ、１３０Ｂ中を伝搬する光のＹ方向への拡散を抑制した状態で、第１発光部１１０Ａ、１１０Ｂ内の発光素子を独立して制御することにより、リニアプリズムそれぞれに対応する領域毎に導光板１３０Ａ、１３０Ｂからの光の輝度を調整することができる。即ち、面光源装置８００の中央部分だけでなく、左右の周辺部分でもローカルディミング制御が可能となる。
【００４３】
面光源装置８００は、中央部分では第３発光部８２０内の発光素子に対応する領域毎に調光でき、周辺部分では光伝搬制御部１３６０に対応する領域毎に調光できるので、面光源装置８００全体で上下左右方向に順番に点灯するように制御するスキャン制御を行うことも可能である。スキャン制御とは、水平方向エリアのバックライトを映像信号に同期した所定のタイミングで順次一定時間オフさせていく技術を指す。スキャン制御により、動画再生時における残像の発生を効果的に低減することが可能となる。
【００４４】
なお、被対象物を直接に照明する第３発光部８２０は、図１の面光源装置１００に設けられてもよい。面光源装置１００に第３発光部８２０を追加する場合、第３発光部８２０は、第２発光部１２０と第３発光部８２０との間に第１発光部１１０が配置されるように設けられる。
【００４５】
以上のように、第２の実施形態に係る面光源装置８００によれば、第１発光部１１０Ａ、１１０Ｂ、第２発光部１２０Ａ、１２０Ｂ、第３発光部８２０内の発光素子を独立して制御することにより、ローカルディミング制御及びスキャン制御を行うことができる。さらに、光源（第１発光部１１０Ａ、１１０Ｂ、第２発光部１２０Ａ、１２０Ｂ、第３発光部８２０）を導光板１３０Ａ及び１３０Ｂの背面側に配置することにより、光源を収容するための額縁部分を小さく若しくは狭くすることができ、或いは、筐体の額縁部分を完全になくすことができる。さらに、光源が配置されていない筐体部分（平坦部１３１Ａ及び１３１Ｂが配置されている部分）を薄型化することができる。従って、面光源装置８００をバックライトとして用いる液晶表示装置においても、筐体の額縁部分を狭くすることができ、筐体の額縁周辺の厚さも極めて薄くすることができる。即ち、液晶表示装置のデザイン性を向上することができる。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１００…面光源装置、１１０，１１０Ａ，１１０Ｂ，１１０Ｃ，１１０Ｄ…第１発光部、１２０，１２０Ａ，１２０Ｂ，１２０Ｃ，１２０Ｄ…第２発光部、１３０，１３０Ａ，１３０Ｂ，１３０Ｃ，１３０Ｄ…導光板、１３１，１３１Ａ，１３１Ｂ，１３１Ｃ，１３１Ｄ…平坦部、１３２，１３２Ａ，１３２Ｂ，１３２Ｃ，１３２Ｄ…湾曲部、２５０…輝度制御シート、４００，５００，６００，７００，８００…面光源装置、８２０…第３発光部、８４０…背面カバー、１２５０…輝度制御シート、１３６０…光伝搬制御部。
【図１】
0005738742.tif 000002
【図２】
0005738742.tif 000003
【図３】
0005738742.tif 000004
【図４】
0005738742.tif 000005
【図５】
0005738742.tif 000006
【図６】
0005738742.tif 000007
【図７】
0005738742.tif 000008
【図８】
0005738742.tif 000009
【図９】
0005738742.tif 000010
【図１０】
0005738742.tif 000011
【図１１】
0005738742.tif 000012
【図１２】
0005738742.tif 000013
【図１３】
0005738742.tif 000014
【図１４Ａ】
0005738742.tif 000015
【図１４Ｂ】
0005738742.tif 000016
【図１４Ｃ】
0005738742.tif 000017